(57)【要約】【課題】部屋を過加湿とすることなく、加湿器の使用者に十分な加湿空気と芳香成分を搬送する加湿器を提供する。【解決手段】高湿空気を生成する高湿空気生成手段７１と、搬送風を発生させる送風ファン６４と、高湿空気生成手段７１が生成する高湿空気と送風ファン６４が発生する搬送風とを略水平方向に送出する吹出口２１，３２と、芳香成分を発生させる芳香手段８１と、を備え、送風ファン６４が発生する搬送風が、高湿空気と芳香成分とを略水平方向に搬送する。【選択図】          図９
2016151407.tif 000002
【特許請求の範囲】
【請求項１】
高湿空気を生成する高湿空気生成手段と、
搬送風を発生させる送風ファンと、
前記高湿空気生成手段が生成する前記高湿空気と前記送風ファンが発生する前記搬送風とを略水平方向に送出する吹出口と、
芳香成分を発生させる芳香手段と、を備え、
前記送風ファンが発生する前記搬送風が、前記高湿空気と前記芳香成分とを略水平方向に搬送する加湿器。
【請求項２】
前記吹出口から送出される気流の方向を調整する風向調整手段を設け、前記風向調整手段に前記芳香手段を備えることを特徴とする請求項１に記載の加湿器。
【請求項３】
前記吹出口が、前記高湿空気を含む気流を吹き出す高湿空気吹出口と、前記高湿空気を含まない前記搬送風を吹き出す搬送風吹出口とが隣接して配置されることを特徴とする請求項１に記載の加湿器。
【請求項４】
前記搬送風吹出口に前記搬送風吹出口から送出される気流の方向を調整する風向調整手段を設け、前記風向調整手段に前記芳香手段を設けることを特徴とする請求項３記載の加湿器。
【請求項５】
前記芳香手段を前記搬送風吹出口の近傍または前記送風ファンから前記搬送風吹出口に至る送風路に備えることを特徴とする請求項３記載の加湿器。
【請求項６】
前記高湿空気吹出口の風下側に前記芳香手段を備え、前記芳香手段の上端を、前記高湿空気吹出口の上端以上の高さの位置となるよう配置し、前記芳香手段の底面を上流側に向かうにつれ下がるように傾斜させることを特徴とする請求項３に記載の加湿器。
【請求項７】
前記高湿空気生成手段が生成する前記高湿空気と前記送風ファンにより生成した前記搬送風の少なくとも一方を加熱する加熱手段を備えることを特徴とする、請求項１から請求項６のいずれか１項に記載の加湿器。
【請求項８】
前記高湿空気生成手段が生成する前記高湿空気を加熱する加熱手段を備え、前記搬送風吹出口を前記高湿空気吹出口よりも上に配置することを特徴とする、請求項３から請求項７のいずれか１項に記載の加湿器。
【請求項９】
前記芳香手段を、加熱された高湿空気が通過する風路の近傍に配置することを特徴とする請求項８に記載の加湿器。
【発明の詳細な説明】
【技術分野】
【０００１】
本発明は、加湿空気（高湿空気）を供給する加湿器に関する。
【背景技術】
【０００２】
従来の加湿器は、本体内に設けた蒸気を蒸気案内筒を介して本体上面に設けた蒸気放出口に導くとともに、蒸気案内筒内に送風機からの冷却風を取り入れ、蒸気を冷却しながら外部へ放出するようにした加湿器において、送風機の冷却風一部を蒸気案内筒を通らずに本体外に導くバイパス風路を設け、このバイパス風路の適所に、芳香材を入れる芳香材容器を設けた構成が開示されている（例えば、特許文献１参照）。
【先行技術文献】
【特許文献】
【０００３】
【特許文献１】特許第３９８１９０２号
【発明の概要】
【発明が解決しようとする課題】
【０００４】
特許文献１に記載の加湿器は、蒸気が蒸気放出口１１から上方に放出され、部屋全体を加湿する。また、芳香剤を入れる芳香剤容器１３を備え、蒸気放出口１１と隣接して芳香成分が放出される芳香放出口１５が配置され、蒸気と合わせて部屋に芳香成分を漂わせるものである。
【０００５】
しかし、本構成では、蒸気や芳香成分が上方に吹き出すものであり、室内に拡散するため、部屋を過加湿とすることなく、加湿器の使用者に十分な蒸気と芳香成分を届けることは難しいという課題があった。
【０００６】
この発明は、上述の課題を解決するためになされたもので、部屋を過加湿とすることなく、加湿器の使用者に十分な加湿空気と芳香成分を搬送する、使い勝手のよい加湿器を提供するものである。
【課題を解決するための手段】
【０００７】
本発明の加湿器は、高湿空気を生成する高湿空気生成手段と、搬送風を発生させる送風ファンと、高湿空気生成手段が生成する高湿空気と送風ファンが発生する搬送風とを略水平方向に送出する吹出口と、芳香成分を発生させる芳香手段と、を備え、送風ファンが発生する搬送風が、高湿空気と芳香成分とを略水平方向に搬送するものである。
【発明の効果】
【０００８】
本発明の加湿器によれば、部屋が過加湿になることを抑制しつつ、加湿器の使用者に十分な加湿空気と芳香成分を届けることができる。
【図面の簡単な説明】
【０００９】
【図１】本発明の実施の形態１に係る加湿器の斜め前方から見た外観斜視図である。
【図２】本発明の実施の形態１に係る加湿器の斜め後方から見た外観斜視図である。
【図３】本発明の実施の形態１に係る加湿器の給水タンクカバーを取り外し、本体カバーを下ケースから取り外した状態を斜め後方から見た分解斜視図である。
【図４】本発明の実施の形態１に係る加湿器の本体カバーと給水タンクを下ケースから取り外した状態を斜め前方から見た外観斜視図である。
【図５】本発明の実施の形態１に係る加湿器の本体カバーを下方から見た斜視図である。
【図６】本発明の実施の形態１に係る加湿器を側方から見た断面図である。
【図７】本発明の実施の形態１に係る加湿器の本体カバーと給水タンクカバーとが一体となった状態の断面図である。
【図８】本発明の実施の形態１に係る加湿器のブロック図である。
【図９】本発明の実施の形態１の他の例に係る加湿器を側方から見た断面図である。
【図１０】本発明の実施の形態１の他の例に係る加湿器を側方から見た断面図である。
【図１１】本発明の実施の形態２に係る加湿器を側方から見た断面図である。
【図１２】本発明の実施の形態３に係る加湿器の斜め前方から見た外観斜視図である。
【図１３】本発明の実施の形態３に係る加湿器を側方から見た断面図である。
【図１４】本発明の実施の形態４に係る加湿器の斜め前方から見た外観斜視図である。
【発明を実施するための形態】
【００１０】
実施の形態１
図１は、本発明の実施の形態１に係る加湿器の斜め前方から見た外観斜視図である。図２は、本発明の実施の形態１に係る加湿器の斜め後方から見た外観斜視図である。図３は、本発明の実施の形態１に係る加湿器の給水タンクカバーを取り外し、本体カバーを下ケースから取り外した状態を斜め後方から見た分解斜視図である。図４は、本発明の実施の形態１に係る加湿器の本体カバーと給水タンクを下ケースから取り外した状態を斜め前方から見た外観斜視図である。図５は、本発明の実施の形態１に係る加湿器の本体カバーを下方から見た斜視図である。図６は、本発明の実施の形態１に係る加湿器を側方から見た断面図である。図７は、本発明の実施の形態１に係る加湿器の本体カバーと給水タンクカバーとが一体となった状態の断面図である。図８は、本発明の実施の形態１に係る加湿器のブロック図である。
【００１１】
実施の形態１の加湿器を例にとり説明する。
【００１２】
図１から図８を用いて、本発明の実施の形態１に係る加湿器の概略構成を説明する。後述するように、加湿方法としては、ヒーターで水を加熱して蒸気を生成する方式を例にとり説明する。なお、各図において同符号は同一部分又は相当部分を示しており、その重複説明は適宜に簡略化又は省略する。
【００１３】
本発明の実施の形態１に係る加湿器２００は、給水タンク４１が着脱自在に取り付けられる下ケース１に、外郭をなす本体カバー２及び本体カバー２の後面に給水タンクカバー３を被せて構成されている。また、本体カバー２の前面の上部には、後述する吹出口２１が設けられる。下ケース１の後面の下部には、下ケース１の外部から室内空気を内部に取り込む吸込口１５が形成される。吸込口１５の周辺には、室内空気の湿度を検出する湿度検出手段である湿度センサー１６０が配置され（図示せず）、湿度センサー１６０の検出信号は後述するマイコン１００へ出力される。下ケース１、本体カバー２及び給水タンクカバー３をまとめて加湿器本体と称する。
【００１４】
下ケース１の後面下部には、電源コード接続部１７が設けられ、加湿器２００に商用電源を供給する電源コード（図示せず）が接続される（図３参照）。なお、電源コード接続部１７が設けられる側が加湿器２００の後方であり、後述する吹出口２１が設けられる側が加湿器２００の前方を指す。
【００１５】
本体カバー２の前側は光が透過する樹脂材で形成されている。図４に示すように、下ケース１の前側に設けられる表示操作部１１に配置される発光部１１６、発光部１１７ａから１１７ｇ及び発光部１１８が発光すると、本体カバー２の外側から発光部の表示を視認できる。発光部１１６、発光部１１７ａから１１７ｇ及び発光部１１８をまとめて表示部１５０と称する。また、本体カバー２の上部には、後述する送出口５２と連通する吹出口２１（第１の吹出口、高湿空気吹出口）が形成される。本体カバー２の側面や後方も樹脂材で形成される。
【００１６】
下ケース２の前側の表示操作部１１には、電源ボタン４ａと設定ボタン５ａが設けられる。本体カバー２には電源スイッチ４と設定スイッチ５が設けられる。下ケース２に本体カバー２を被せたときに、電源スイッチ４の押圧により電源ボタン４ａが押圧され、設定スイッチ５の押圧により設定ボタン５ａが押圧される。設定スイッチ５により、加湿器２００の加湿動作が開始してから終了するまでの運転切時間や運転モード等の入力操作ができるようになっている。電源ボタン４ａと設定ボタン５ａとをまとめて操作部１８０と称する。
【００１７】
下ケース２の前側には操作基板７が配置される。操作基板７には、電源ボタン４ａ、設定ボタン５ａ用の機械式スイッチや、発光部１１６、発光部１１７ａから１１７ｇ及び発光部１１８を構成するＬＥＤなどが実装される。
【００１８】
また、下ケース２の前側には制御基板８が配置される。制御基板８は操作基板７と電気的に接続され、加湿器２００の動作を制御するマイコン１００（制御手段）が実装される。
【００１９】
図８に示すように、マイコン１００は入力回路１１０、ＣＰＵ１２０、メモリ１３０及び出力回路１４０を備える。入力回路１１０には、湿度センサー１６０、操作部１８０及び後述する貯水量検知部１７０の出力信号が入力される。出力回路１４０からは、ヒーター７２、後述する送風ファン６２を駆動するモーター６１、表示部１５０（発光部１１６、発光部１１７ａから１１７ｇ及び発光部１１８）へ制御信号を出力する。
【００２０】
電源スイッチ４を押すと電源ボタン４ａが押され、交流電源から電源が供給され、マイコン１００が起動し、発光部１１６のＬＥＤを点灯させる。
【００２１】
設定スイッチ５を操作すると、その押圧回数に対応して加湿器２００の加湿動作が開始してから終了するまでの運転切時間を設定することができる。例えば、設定スイッチ５を１回押すと運転切時間が１時間に設定され、２回押すと２時間が設定される。発光部１１７ａから１１７ｇは、設定スイッチ５の押圧回数に応じて点灯数や点灯色を変えて、設定された運転切時間を表示する。マイコン１００には、時間を計時するタイマー（計時手段、図示せず）を備える。また、設定スイッチ５を長押しすると、加湿の強さを調整できるモードに切り替わる。
【００２２】
図６に示すように、制御基板８の後方には高湿空気生成手段である蒸気生成装置７１が配置されている。蒸気生成装置７１は、上方が開口した金属部材からなる円形の皿形状をなし、給水タンク４１から供給される加湿用の水を貯留する貯留部である蒸発皿７１ａと、その外周に巻かれる蒸気生成用のヒーター７２とを備える。
【００２３】
蒸気生成装置７１には、給水タンク４１に貯留された加湿用の水が、給水経路７４を経由して、水供給口７３から供給される。なお、給水タンク４１は、樹脂材で形成された給水タンクカバー３により着脱自在に覆われる。
【００２４】
また、給水タンク４１に貯留される水量を検知する貯水量検知部１７０が給水タンク４１の周囲に設けられる（図示せず）。貯水量検知部１７０は、給水タンク４１内の水の水位を光学的に検知するものである。なお、貯水量検知部１７０は、給水タンク４１の底部に設けられ、給水タンク４１の重量を測定して貯水量を検知するようにしてもよい。
【００２５】
蒸気生成装置７１に供給された水は、ヒーター７２を通電することにより加熱され、高温の蒸気が生成される。
【００２６】
蒸気生成装置７１には、上方の開口を覆うように、蒸気の通気口を有する耐熱性の樹脂材で形成された蒸気生成装置カバー７５が設けられている。蒸気生成装置カバー７５を覆うようにして、その上方に送出口５２を備える耐熱性の樹脂材で形成された蒸気ダクト５１が取り付けられる。
【００２７】
蒸気生成装置７１の後方には、送出口５２および送風口３２（第２の吹出口、搬送風吹出口）から吹き出す風を発生させるための送風ファン６２が設けられる。送風口３２から外部に送出される風は、後述する高湿空気と芳香成分とを使用者へ搬送する搬送風である。送風ファン６２の回転軸は下ケース１の前後方向と平行に配置される。送風ファン６２はファン室６４内に配置され、ファン室６４は、その上方に形成された本体側風路１６と連通している。本体側風路１６の上方には、本体カバー側風路２２が形成される。
【００２８】
図７に示すように、本体カバー側風路２２は、本体カバー２側に形成され、本体カバー２と給水タンクカバー３とを一体で取り外すと、本体側風路１６と分離し、本体カバー２ととともに下ケース１から外れるようになっている。また、本体カバー２の上部には可動ダクト３１が設けられる。可動ダクト３１は前後方向にスライド可能に設けられる。可動ダクト３１を後方に移動させると、給水タンクカバー３は可動ダクト３１により上部を抑えられることとなり、給水タンクカバー３が上方へ移動できない状態となって、本体カバー２と一体の状態となる。したがって、給水タンクカバー３は本体カバー２と一体で取り外せる状態となる。
【００２９】
吸込口１５から送風口３２に至る風路が下ケース１側の本体側風路１６と本体カバー２側の本体カバー側風路２２（上部側風路）とからなり、図４に示すように、本体カバー側風路２２と連通する本体側風路１６の最上端は、本体カバー側風路２２と通気可能に連通する開口部１９ａを有する本体側連通部１９が配置される。本体側風路１６と本体カバー２側の本体カバー側風路２２とを接続する本体側連通部１９の開口部１９ａ（図示せず）には、開口部１９ａを開閉するシャッター２０が設けられる。
【００３０】
シャッター２０は、下ケース１から本体カバー２が取り外されているときは、開口部１９ａを閉じ、下ケース１に本体カバー２を取り付けたときに開口部１９ａを開いて、本体側風路１６と本体カバー側風路２２とを連通するものである。つまり、加湿器２００のメンテナンス時に下ケース１から本体カバー２を取り外したときに、開口部１９ａから本体側風路１６を経由してファン室６４へ異物や水が侵入するのを抑制するものである。
【００３１】
シャッター２０は、少なくともその一部が開口部１９ａを形成する本体側連通部１９の周縁１９ｂ（図示せず）の下側に配置される。そして、シャッター２０は、一端側が、本体側連通部１９に形成された軸支部１９ｃ（図４参照）により回動自在に軸支される。シャッター２０の裏面には、開口部１９ａを下方から閉じるように、シャッター２０の他端側（自由端側）を上方に付勢する付勢手段であるバネ２０ａ（図示せず）が設けられる。他端側が上方に付勢されたシャッター２０は、本体側連通部１９の周縁１９ｂの裏面と当接することにより係止される。また、シャッター２０の上面には凸部２０ｂが形成される。
【００３２】
また、図５に示すように、本体カバー側風路２２に隣接して分岐風路２５が形成される。本体カバー側風路２２と分岐風路２５とは、下端にリブ２４が形成された仕切板２８により区画される。リブ２４はシャッター２０を開く開成部材であり、本体カバー側風路２２と一体に形成される。本体カバー側風路２２と分岐風路２５の下端の外周を囲むように本体カバー側連通部２３が形成され、下ケース１に本体カバー２を取り付けたときに、本体側連通部１９と当接して本体側風路１６と本体カバー側風路２２及び分岐風路２５とを連通する。つまり、送風ファン６２により生成される風は本体側風路１６を経由し、本体カバー側風路２２と分岐風路２５とにそれぞれ送られる。
【００３３】
下ケース１に本体カバー２を取り付けると、リブ２４は、バネ２０ａの付勢力に抗して、シャッター２０の上面の凸部２０ｂを押し下げて開口部１９ａを開き、本体側風路１６と本体カバー側風路２２とを連通する。
【００３４】
分岐風路２５に送られた風は、連通口２９（図５、図７参照）により、下ケース１に本体カバー２が取り付けられた状態で蒸気ダクト５１と連通する。つまり、この分岐風路２５に送られた風が蒸気生成装置７１で生成される蒸気と混合し、加湿された空気を付勢して送出口５２から室内へ吹き出す。
【００３５】
本体カバー２に設けられた本体カバー側風路２２は、蒸気生成装置７１で生成される蒸気と混合し、加湿された空気を送出口５２から付勢して吹出口２１から室内へ吹き出すための風とは別の、送出口５２から吹き出す気流をガイドして送出口５２から所定の距離離れた位置まで送出する気流を通過させるための風路である。
【００３６】
本体カバー風路２２を通過した風は、加湿器２００の上部に設けられた可動ダクト３１に送られ、加湿器２００の上部で可動ダクト３１の下方に形成された送風口３２から前方へ向かって送風される。
【００３７】
送風口３２（第２の吹出口、搬送風吹出口）は、吹出口２１（第１の吹出口、高湿空気吹出口）の上方に隣接して配設される。送風口３２と吹出口２１から吹き出される気流の方向はそれぞれ略水平方向の同じ方向に吹き出される。これにより、吹出口２１から吹き出される高温の蒸気である高湿空気を含む第１の気流が上方に向かうのを、送風口３２から吹き出される高湿空気を打含まない第２の気流が抑え込むように作用する。
【００３８】
送風口３２には、風の向きを調整する風向調整手段である風向調整板３３が設けられていて、前方に向かって斜め下方に向いている。吹出口２１から吹き出された加湿空気を上から抑えるように送風される。
【００３９】
また、送風口３２から吹き出される高湿空気を打含まない第２の気流は、吹出口２１から吹き出される高温の蒸気である高湿空気を含む第１の気流よりも流速が大きい。これにより、第１の気流は流速の大きい第２の気流に誘引されて、加湿空気を送出口５２から所定の距離離れた位置まで効率よく送出することができる。
【００４０】
温度の高い蒸気を略水平方向に搬送して使用者に届けるため、部屋全体が過加湿となるのを抑制するとともに、使用者が気流の冷たさによる不快感を感じにくく、快適に使用できる。
【００４１】
図９に示すように、風向調整板３３の上面には、芳香手段である芳香剤を入れる芳香剤容器８１が着脱自在に装着される。芳香剤の芳香成分は、吹出口２１から吹き出される高湿空気とともに、送風口３２から略水平方向に吹き出す気流に誘引され、この気流によって所定の離れた位置まで搬送される。これにより、使用者に確実に蒸気と芳香成分を届けることができる。
【００４２】
芳香剤容器８１が、蒸気が通過しない送風口３２の風下側の風向調整板３３に配置されるため、蒸気が結露して発生した水が芳香剤容器８１に付着したり、芳香剤容器８１の中に入り込み芳香剤を劣化させたり、芳香剤容器８１から芳香剤と水が溢れて零れるといったことがなく、衛生的である。
【００４３】
また、芳香剤容器８１は、本体カバー２等のカバー類を着脱せずにアクセスすることができるため、芳香剤の補充や芳香剤容器８１の清掃等が容易に行うことができ、使い勝手がよい。
【００４４】
さらに、図９に示すように、風向調整板３３と可動ダクト３１との接続部に、通風口８２を設ける構成としてもよい。本構成により、可動ダクト３１内を流れる気流の一部が、通風口８２を経由して風向調整板３３の上方側に流れて芳香剤容器８１の周辺を通過し、芳香剤が揮発され、効率的に芳香成分を搬送することができる。
【００４５】
また、図１０に示すように、送風口３２の底面に芳香剤容器８１を設ける構成としてもよい。本構成により、芳香剤容器８１は、本体カバー２等のカバー類を着脱せずにアクセスすることができることに加え、より大量の風が芳香剤容器８１の周囲を通過してさらに芳香剤の揮発が促進され、より効率的に芳香成分を搬送することができる。
【００４６】
また、芳香剤容器８１の周囲を通過する風を加熱するヒーター（図示せず）を備え、ヒーターの加熱量を調整できる構成としてもよい。本構成によると、さらに芳香成分の揮発量を効率的に調整できる。
【００４７】
このように、実施の形態１の加湿器によれば、高湿空気を生成する高湿空気生成手段と、搬送風を発生させる送風ファンと、高湿空気生成手段が生成する高湿空気と送風ファンが発生する搬送風とを略水平方向に送出する吹出口と、芳香成分を発生させる芳香手段と、を備え、送風ファンが発生する搬送風が、前記高湿空気と芳香成分とを略水平方向に搬送するので、部屋全体が過加湿になることを抑制しつつ、加湿空気と芳香成分を使用者に届けることができる。
【００４８】
また、風向調整手段である風向調整板や、送風口の底面に芳香手段である芳香材入りの芳香剤容器を備えたので、芳香剤の補充や芳香剤容器の清掃等が容易に行うことができ、使い勝手がよい。
【００４９】
また、吹出口が、高湿空気を含む気流を吹き出す高湿空気吹出口が、高湿空気を含まない前記搬送風を吹き出す搬送風吹出口の下方に隣接して配置されるので、搬送風が高湿空気の上昇を抑え、加湿空気を所定の距離離れた位置まで効率よく送出することができる。
【００５０】
また、搬送風吹出口に搬送風吹出口から送出される気流の方向を調整する風向調整手段を設け、風向調整手段に芳香手段である芳香材入りの芳香剤容器を設けるので、芳香剤の補充や芳香剤容器の清掃等が容易に行うことができ、使い勝手がよい。さらに、芳香剤容器が、蒸気が通過しない風路に配置されるため、蒸気が結露して発生した水が芳香剤容器に付着したり、芳香剤容器の中に入り込み芳香剤を劣化させたり、芳香剤容器から芳香剤と水が溢れて零れるといったことがなく、衛生的である。
【００５１】
また、送風ファンから搬送風吹出口に至る送風路に芳香手段である芳香材入りの芳香剤容器芳香手段を備えたので、芳香剤容器が、蒸気が通過しない風路に配置されるため、蒸気が結露して発生した水が芳香剤容器に付着したり、芳香剤容器の中に入り込み芳香剤を劣化させたり、芳香剤容器から芳香剤と水が溢れて零れるといったことがなく、衛生的である。
【００５２】
また、送風ファンにより生成した風を加熱する加熱手段を設け、芳香手段に加熱した風を供給することにより、芳香手段の芳香成分の揮発が促進される。さらに、この加熱手段の加熱量を調整することにより、芳香手段の芳香成分の揮発量を調整できる。
【００５３】
実施の形態２
図１１は、本発明の実施の形態２に係る加湿器を側方から見た断面図である。
【００５４】
実施の形態１では、芳香剤容器８１を送風口３２の近傍に配置したが、実施の形態２では、送風口３２の上流側の蒸気ダクト５１の上面に芳香剤容器８１を設置するものである。芳香剤容器８１の上面に開口部を設ける。本体カバー２を装着したときに、開口部と対向する位置の、本体カバー側風路２２の側壁に連通穴８３を設け、芳香剤容器８１と本体カバー側風路２２とを、連通穴８３を介して連通させる。本構成により、芳香剤容器８１から揮発した芳香成分が、本体カバー側風路２２内を通過する気流にのって運ばれ送風口３２から送出される。蒸気ダクト５１は、内部を通過する蒸気により温度が高くなるため、蒸気ダクト５１の上方に配置される芳香剤容器８１の底面も温められ、芳香剤が揮発しやすくなり、強い香りが届けられる。また、本構成は、本体カバー側風路２２を通る風を加熱するためのヒーターを追加することなく前記効果を得られるため、本体を小型に構成できる効果もある。また、芳香剤容器８１に蒸気が結露して付着することもなく、衛生的である。
【００５５】
このように、実施の形態２の加湿器によれば、芳香手段を、加熱された高湿空気が通過する風路の近傍に配置するので、芳香手段を加熱して芳香成分の揮発を促進するための加熱手段を設ける必要がない。また、芳香手段に蒸気が結露して水が付くことなく、使い勝手のよい加湿器が得られる。
【００５６】
実施の形態３
実施の形態１及び実施の形態２は、高湿空気を含まない本体カバー側風路の中又は送風口の近傍に芳香剤容器８１を配置したが、実施の形態３は、高湿空気を含む気流の吹出口２１の風下側の近傍に芳香剤容器８１を配置するものである。
図１２は、本発明の実施の形態３に係る加湿器の斜め前方から見た外観斜視図である。図１３は、本発明の実施の形態３に係る加湿器を側方から見た断面図である。
【００５７】
図１２および図１３に示すように、本発明の実施の形態３では、芳香剤容器８１を吹出口２１の上部に取り付け、芳香剤容器８１の底面を上流側に向かうにつれ下がるように傾斜させる。
【００５８】
本構成によると、吹出口２１から送出される温度の高い高湿空気により芳香剤容器８１が温められ、芳香剤の芳香成分が揮発しやすくなり、強い香りが搬送される。また、芳香剤容器８１の底面を、吹出口２１から送出される温度の高い高湿空気の上流側に向かうにつれて下がるように傾斜させることで、芳香剤容器８１の底面に蒸気が結露して付着した水を、吹出口２１から本体内に流し、本体の外に零れないようにすることができ、部屋を汚すことなく衛生的に使用できる。また、芳香剤容器８１の上端が吹出口２１の上端以上の高さとなるように芳香剤容器８１を配置することで、芳香剤容器８１の上方を蒸気が通過することを防ぎ、芳香剤容器８１に蒸気が結露して発生した水が入ることで芳香剤を薄めたり、芳香剤容器８１から水や芳香剤が溢れて容器の外に零れたりすることを抑制できる。
【００５９】
このように、実施の形態３の加湿器によれば、高湿空気吹出口の風下側に芳香手段を備えるので、高湿空気吹出口から送出される温度の高い高湿空気により芳香手段が温められ、芳香剤の芳香成分が揮発しやすくなり、強い香りが搬送される。
また、芳香手段の上端を、高湿空気吹出口の上端以上の高さの位置となるよう配置するので、芳香手段の上方を蒸気が通過することを防ぎ、芳香手段に蒸気が結露して発生した水が入ることで芳香剤を薄めたり、芳香手段から水や芳香剤が溢れて容器の外に零れたりすることを抑制できる。
さらに、芳香手段の底面を上流側に向かうにつれ下がるように傾斜させるので、芳香手段の底面に蒸気が結露して付着した水を、高湿空気吹出口から本体内に流し、本体の外に零れないようにすることができ、部屋を汚すことなく衛生的に使用できる。
【００６０】
実施の形態４
実施の形態３は、芳香剤容器８１を、高湿空気を含む気流の吹出口２１の風下側の近傍として、吹出口２１の上部に取り付ける構成を示した。実施の形態４は、芳香剤容器８１を吹出口２１の下方の本体壁面より、吹出口２１より前方に突出するように取り付けるものである。
図１４は、本発明の実施の形態４に係る加湿器の斜め前方から見た外観斜視図である
【００６１】
図１４に示すように、芳香剤容器８１を吹出口２１の下方の本体壁面より、吹出口２１より前方に突出するように取り付けられる。本構成により、芳香容器の形状、大きさの制約が緩和され、使用者の好みに合わせた形状の芳香剤容器８１を選ぶことが可能となり、より快適に使用できる。
【００６２】
本発明の実施の形態４は、上記構成以外でも、芳香剤容器８１を可動ダクト３１の上面から吊り下げ、送風口３２の下流側に芳香剤容器８１が配置するよう等、芳香剤容器が吹出口２１あるいは送風口５２より下流側に位置し、本体の外側に芳香剤容器が取り付けられる構成であれば、同様の効果を得られる。
【００６３】
なお、実施の形態１から実施の形態４において、加湿方法としては、ヒーターで水を加熱して蒸気を生成する方式を例にとり説明したが、これに限らず、他の加湿方式の加湿器に対しても適用できる。例えば、水を超音波で加振して蒸気を生成する方法や、フィルターに吸い込ませた水を風で気化させて蒸気を生成する方法でもよい。本構成によると、転倒した場合に高温の水がこぼれることがないため、安全性が高くなる。
【００６４】
また、本構成に、高湿空気と送風ファンにより生成した風の少なくとも一方を加熱する加熱手段（図示せず）を設けるように構成してもよい。高湿空気または高湿空気を含まない気流の少なくとも一方を加熱する加熱手段を設けることで、使用者に搬送される蒸気の冷たさが抑えられ、使用者が不快感を感じにくくなり、より快適に使用できる。
【００６５】
また、本構成に、高湿空気生成手段が生成する高湿空気を加熱する加熱手段（図示せず）を備え、搬送風吹出口を高湿空気吹出口よりも上に配置するように構成してもよい。実施の形態１と同様に、加熱手段により加熱されて高温となった高湿空気が上方に向かうのを、搬送風吹出口から吹き出される、高湿空気を含まない気流が抑え込むように作用するので、加湿空気を加湿器から所定の距離離れた位置まで効率よく送出することができる。
【００６６】
また、芳香剤容器８１の上面の開口部を開閉する蓋（図示せず）を設け、開口部の開口面積を調節可能にする構成としてもよい。本構成によると、芳香剤の揮発量を調整できるため、使用者の好みに合わせて、香りの強さを調整できる。
【００６７】
また、高湿空気と搬送風のそれぞれの風量、または、両者の風量比を調整する手段（図示せず）を備える構成としてもよい。本構成により、芳香剤容器８１の周囲を通過する風の量を調整し、香りの強さを調整できる。例えば、設定ボタン５を長押しして、香りの強さを調整するモードに切り替える制御としてもよい。
【００６８】
また、芳香の強さを揺らがせるモードを備える構成とすると、より快適に使用できる。例えば、睡眠時を想定し、最初は香りを強くし、途中から睡眠を妨げないよう香りを弱くする、といった制御等がある。
【符号の説明】
【００６９】
１  下ケース、２  本体カバー、３  給水タンクカバー、４  電源スイッチ、４ａ  電源ボタン、５  設定スイッチ（設定手段）、５ａ  設定ボタン、７  操作基板、８  制御基板、１１  表示操作部、１５  吸込口、１６  本体側風路、１７  電源コード接続部、１９  本体側連通部、１９ａ  開口部、１９ｂ  周縁、１９ｃ  軸支部、２０  シャッター、２０ａ  バネ（付勢手段）、２０ｂ  凸部、２１  吹出口（第１の吹出口、高湿空気吹出口）、２２  本体カバー側風路（上部側風路）、２３  本体カバー側連通部、２４  リブ（開成部材）、２４ａ  曲面部、２４ｂ  水平部、２４ｃ  垂直部、２８  仕切板、２９  連通口、３１  可動ダクト、３２  送風口（第２の吹出口、搬送風吹出口）、３３  風向調整板（風向調整手段）、４１  給水タンク、５１  蒸気ダクト、５２  送出口、６１  モーター、６２  送風ファン、６４  ファン室、７１  蒸気生成装置（高湿空気生成手段）、７１ａ  蒸発皿（貯留部）、７２  ヒーター、７３  水供給口、７４  給水経路、７５  蒸気生成装置カバー、８１  芳香剤容器（芳香手段）、８２  通風口、８３  連通穴、１００  マイコン（制御手段）、１１０  入力回路、１２０  ＣＰＵ、１３０  メモリ、１４０  出力回路、１５０  表示部、１６０  湿度センサー（湿度検出手段）、１６１  室温センサー（室温検出手段）、１６２  水温センサー（貯留部温度検出手段）、１７０  貯水量検知部、１８０  操作部、２００  加湿器。
【図１】
2016151407.tif 000003
【図２】
2016151407.tif 000004
【図３】
2016151407.tif 000005
【図４】
2016151407.tif 000006
【図５】
2016151407.tif 000007
【図６】
2016151407.tif 000008
【図７】
2016151407.tif 000009
【図８】
2016151407.tif 000010
【図９】
2016151407.tif 000011
【図１０】
2016151407.tif 000012
【図１１】
2016151407.tif 000013
【図１２】
2016151407.tif 000014
【図１３】
2016151407.tif 000015
【図１４】
2016151407.tif 000016